【手続補正書】
【提出日】平成18年9月21日(2006.9.21)
【手続補正１】
【補正対象書類名】明細書
【補正対象項目名】特許請求の範囲
【補正方法】変更
【補正の内容】
【特許請求の範囲】
【請求項１】  遊技盤に球を弾き入れて該球に運動を与え、運動を与えられた球が遊技盤上に設けられた様々の障害物に衝突して、その反動で運動方向を変えて遊技を楽しむ弾球遊技機において、
遊技盤に略直角に設けた回動軸と、
該回動軸に回動自在に設けた回動体と、
該回動体に略均等角度間隔に配され該回動体の回動方向に対面して設けた少なくとも片側を凸状にした複数の羽根体と、
から構成される風車を有することを特徴とする弾球遊技機。
【請求項２】  請求項１において、羽根体は、回転方向に対し突曲している突曲体である、
風車を有することを特徴とする弾球遊技機。
【請求項３】  遊技盤に球を弾き入れて該球に運動を与え、運動を与えられた球が遊技盤上に設けられた様々の障害物に衝突して、その反動で運動方向を変えて遊技を楽しむ弾球遊技機において、
遊技盤に略直角に設けた回動軸と、
該回動軸に回動自在に設けた回動体と、
該回動体に略均等角度間隔に配され該回動体の回動方向に対面して設けた少なくとも片側を凹状にした複数の羽根体と、
から構成される風車を有することを特徴とする弾球遊技機。
【請求項４】  請求項３において、羽根体は、回転方向に対し途中で屈折している屈折体である風車を有することを特徴とする弾球遊技機
【請求項５】  請求項１乃至請求項４の何れか１つにおいて、回動体は筒体である風車を有することを特徴とする弾球遊技機。
【請求項６】  請求項１乃至請求項４の何れか１つにおいて、回動体は回動軸に摺動回動可能な筒体と、
該筒体の端部に該筒体を貫通して設けた板体と、
から構成される風車を有することを特徴とする弾球遊技機。
【請求項７】  請求項５乃至請求項６の何れか１つにおいて、筒体に同軸的に板体を設け、均等角度間隔で該板体の外周に少なくとも片側を凸状にした複数の羽根体を設けた風車を有することを特徴とする弾球遊技機。
【請求項８】  請求項５乃至請求項６の何れか１つにおいて、板体は回動軸に同軸に設けた円板である風車を有することを特徴とする弾球遊技機。
【請求項９】  請求項１乃至請求項８の何れか１つにおいて、複数の羽根のうち、過半数の羽根体の向きを回動体の同一回転方向とした風車を有することを特徴とする弾球遊技機。
【請求項１０】  請求項１乃至請求項８の何れか１つにおいて、複数の羽根体のうちの１枚の羽根体が他の羽根体とは逆向に回動体に設けられている風車を有することを特徴とする弾球遊技機。
【請求項１１】  遊技盤に球を弾き入れて該球に運動を与え、運動を与えられた球が該遊技盤上に設けた様々の障害物に衝突して、その反動で運動方向を変えて遊技を楽しむ弾球遊技機において、
遊技盤に略直角に設けた回動軸と、
該回動軸に回動自在に設けた回動体と、
該回動体に略均等角度間隔に配した複数の羽根体と、
該羽根体の回動軌跡の範囲内の遊技盤に設けた前記球の取込口と、
該羽根体の回動軌跡の範囲外の遊技盤に設けた前記球の排出口と、
から構成される風車を有することを特徴とする弾球遊技機。
【請求項１２】  請求項１１において、
羽根体は、回動体の一つの回動方向に対面して設けた少なくとも片面側を凸状にした、
風車を有することを特徴とする弾球遊技機。
【請求項１３】  請求項１２において、
羽根体は、回動体の一つの回動方向に対し突曲している突曲面である風車を有することを特徴とする弾球遊技機。
【請求項１４】  請求項１１において、
羽根体は、回動体の一つの回動方向に対面して設けた少なくとも片面側を凹状にした、
風車を有することを特徴とする弾球遊技機。
【請求項１５】  請求項１４において、
羽根体は、回転方向に対し途中で屈折している屈折体である風車を有することを特徴とする弾球遊技機。
【請求項１６】  請求項１１乃至請求項１５の何れか１つにおいて、羽根体は回動軸に並行に回動体に取り付けられ、該羽根体の断面は前端から後端に向かって薄くなっている風車を有することを特徴とする弾球遊技機。
【請求項１７】  請求項１１乃至請求項１５の何れか１つにおいて、羽根体は少なくとも片面が回動軸中央部で前側から後側に向かって下り傾斜している風車を有することを特徴とする弾球遊技機。
【請求項１８】  請求項１１乃至請求項１５の何れか１つにおいて、羽根体は少なくとも片面が回動部中央やや手前部で突起部を備えた風車を有することを特徴とする弾球遊技機。
【請求項１９】  請求項１１乃至請求項１５の何れか１つにおいて、羽根体は少なくとも片面に衝突した球を後端に弾く弾性体を備えた風車を有することを特徴とする弾球遊技機。
【請求項２０】  請求項１１乃至請求項１５の何れか１つにおいて、少なくとも回動体は前端から後端に向い細くなっている風車を有することを特徴とする弾球遊技機。
【請求項２１】  請求項１１乃至請求項１５の何れか１つにおいて、少なくとも回動体中央側面は前端から後端に向かって下り傾斜している傾斜面を備えた風車を有することを特徴とする弾球遊技機。
【請求項２２】  請求項１１乃至請求項１５の何れか１つにおいて、回動体は少なくとも衝突した球を後端に弾く弾性体を備えた風車を有することを特徴とする弾球遊技機。
【請求項２３】  請求項１１乃至請求項２２の何れか１つにおいて、回動体の前端には板体を設けた風車を有することを特徴とする弾球遊技機。
【請求項２４】  請求項２３において、板体の外周には後方に向けて回動軸に向かって傾斜している傾斜体を備えた風車を有することを特徴とする弾球遊技機。
【請求項２５】  請求項２３において、板体には同心円状に後方に向けて回動軸に向かって傾斜している傾斜部を備えた風車を有することを特徴とする弾球遊技機。
【請求項２６】  請求項２３乃至請求項２５の何れかにおいて、板体は回動軸に同軸に設けた円板である風車を有することを特徴とする弾球遊技機。
【請求項２７】  請求項１１乃至請求項２６の何れか１つにおいて、取込口と排出口は遊技盤面の内側で繋がっている風車を有することを特徴とする弾球遊技機。
【請求項２８】  請求項２７において、取込口と排出口の途中には通過する球を検出するセンサーを備えた風車を有することを特徴とする弾球遊技機。
【手続補正２】
【補正対象書類名】明細書
【補正対象項目名】０００７
【補正方法】変更
【補正の内容】
【０００７】
この飾り風車では、回転体の第１の支軸０１２を中心とした左右の回転と、回転羽根の第２の支軸０１４を中心とした前後の回転があり、さらにこの両者が同時に回転して回転羽根０１５にあっては傾斜して回転することもあるので多方向に打球を跳ね返して散らばせることができる。
【手続補正３】
【補正対象書類名】明細書
【補正対象項目名】０００８
【補正方法】変更
【補正の内容】
【０００８】
また更に図１４（Ｅ）には特開平１０−２９５８８５号における風車の斜視図を示し、風車０１６は、羽根０１７の左半分部分がカバー体０１８で覆われ、上方から落ちてくるパチンコ球Ｐは、風車０１６の右寄りに落ちてくる場合に羽根０１７に衝突してこれを回転され、略右下方向へ流下する。風車０１６の左寄りに落ちてくる場合はカバー体０１８によって弾かれ、羽根０１７には衝突しない。これにより特定方向にパチンコ球を導くことができる。
【手続補正４】
【補正対象書類名】明細書
【補正対象項目名】００７７
【補正方法】変更
【補正の内容】
【００７７】
Ｌ１は風車の内側左寄りに内羽根２４ａに落下した軌跡であり、パチンコ球Ｐは、内羽根２４ａに衝突すると、そのパチンコ球の跳ね返りは２時方向になる。
Ｌ２は風車の外羽根の先端正面に落下した軌跡であり、真上から落下したパチンコ球が羽根の先端２３ｃに衝突すると外羽根２５ａが１２時方向であるので、衝突した位置により散らばってしまうが、その外羽根の先端の衝突面積は小さく、衝突の確率は小さい。
Ｌ３は風車の左側外寄りに落下した軌跡であり、風車２０の左側寄りに落下してくるパチンコ球はその一つ手前の水平になった外羽根２５ｄに衝突し、その跳ね返りは真上方向になる。
【手続補正５】
【補正対象書類名】明細書
【補正対象項目名】００８３
【補正方法】変更
【補正の内容】
【００８３】
図７（Ａ）、（Ｂ）、（Ｃ）で、風車の左側にパチンコ球が衝突し跳ね返る方向を示した実線Ｌ１乃至Ｌ７と、風車の右側にパチンコ球が衝突し跳ね返る方向示す一点鎖線Ｒ１乃至Ｒ６とを比べると、（Ａ）では風車の左側に落下したパチンコ球は内羽根２４ａに衝突する軌跡Ｌ１と外羽根２５ｄに衝突する軌跡Ｌ３では互いに離れるが、（Ｂ）、（Ｃ）ではいずれもパチンコ球の跳ね返り軌跡Ｌ４、Ｌ５あるいはＬ６，Ｌ７が互いに交差する。
次に風車の右側にパチンコ球が衝突し跳ね返る方向を示す一点鎖線Ｒ１乃至Ｒ６では、（Ａ）、（Ｂ）、（Ｃ）いずれの場合も内羽根と外羽根では相反する方向に散らばるのである。
【手続補正６】
【補正対象書類名】明細書
【補正対象項目名】００９０
【補正方法】変更
【補正の内容】
【００９０】
図８（Ｅ）には、風車の回動軸２８に同軸的に板体２９を設け、均等角度間隔で該板体２９の外周に少なくとも片側を凸状にした複数の羽根体２７を設けてある。
これにより、回動軸２８に同軸的に板体２９を設け、均等角度間隔で該板体２９の外周に少なくとも片側を凸状とした複数の羽根体２７を設けたので、落下してきたパチンコ球が羽根体２７に衝突しても、回動軸２８には直接衝撃を伝えず、さらに該板体２９を介して回動軸２８に取り付けられているので、羽根体２７が振動しやすく、パチンコ球の跳ね返りが大きくなるのである。
また、この回動軸２８に設けた板体２９は、もちろん、円板であってもよく、この場合は風車の回転が円滑で、かつ見た目にすっきりする。
【手続補正７】
【補正対象書類名】明細書
【補正対象項目名】０１０２
【補正方法】変更
【補正の内容】
【０１０２】
該箱体５０はパチンコ盤面を刳り貫いて、パチンコ盤面と該箱体の表板５１が同一面となり、上側が取込口５３、下側が排出口５５となるように取り付けられる。
取込口５３はパチンコ球の大きさより十分に大きく、該取込口５３に入ったパチンコ球を箱体の内部で該釘体４７を迂回して下方に延びた迂回路５４に流れ落ち、迂回路の途中に設けた機械的あるいは電気的センサー５４ａでパチンコ球の通過を検出し、風車の下側の羽根が届かない位置に設けた排出口５５から排出される。
【手続補正８】
【補正対象書類名】明細書
【補正対象項目名】０１１４
【補正方法】変更
【補正の内容】
【０１１４】
図１２（Ｃ）では、回動体５７には少なくとも衝突した球を後端に弾く弾性体として、後方にやや傾けて回動軸に取り付けた鋼線５７ｃを設けてある。
図１２（Ｄ）では、回動体５７には少なくとも衝突した球を後端に弾く弾性体として、後方にやや傾けて取り付けた巻バネあるいはゴム等５７ｄを設けてある。
【手続補正９】
【補正対象書類名】明細書
【補正対象項目名】０１１７
【補正方法】変更
【補正の内容】
【０１１７】
図１３（Ｂ）では、板体５９の外周には後方に向けて回動軸５６に向かって傾斜している傾斜体５９ｂを有する。
図１３（Ｃ）では、板体５９には回動軸５６を中心に同心円状に後方に向けて回動軸に５６向かって傾斜している傾斜部５９ｃを有している。この傾斜部５９ｃは、板体５９が鉄板であれば、同軸状に後方に向って切欠を設け、切込屋根を後方に押し出して傾斜面を構成したり、また板体がプラスチックなら板体裏側に同軸状に設けた凸部であればよい。
【手続補正１０】
【補正対象書類名】図面
【補正対象項目名】図４
【補正方法】変更
【補正の内容】
【図４】
2001079178.tif 000001
【手続補正１１】
【補正対象書類名】図面
【補正対象項目名】図６
【補正方法】変更
【補正の内容】
【図６】
2001079178.tif 000002
【手続補正１２】
【補正対象書類名】図面
【補正対象項目名】図７
【補正方法】変更
【補正の内容】
【図７】
2001079178.tif 000003
【手続補正１３】
【補正対象書類名】図面
【補正対象項目名】図１０
【補正方法】変更
【補正の内容】
【図１０】
2001079178.tif 000004
【手続補正１４】
【補正対象書類名】図面
【補正対象項目名】図１３
【補正方法】変更
【補正の内容】
【図１３】
2001079178.tif 000005
【手続補正１５】
【補正対象書類名】図面
【補正対象項目名】図１４
【補正方法】変更
【補正の内容】
【図１４】
2001079178.tif 000006